(57)【特許請求の範囲】
【請求項１】
親機と子機との間で内線通話が可能な通信端末装置において、親機から子機への内線呼出し中における外線着呼を検出する手段と、親機から子機への内線呼出し中に外線着呼を検出した場合、子機のベル鳴動パターンを内線呼出しの場合と異なるパターンへ変更する指示を親機から子機へ送出する手段とを備えたことを特徴とする通信端末装置。
【発明の詳細な説明】
【０００１】
【発明の属する技術分野】
本発明は、例えばコードレスの子機を備え、親機と子機との間で内線通話が可能であるファクシミリ装置のような通信端末装置に関する。
【０００２】
【従来の技術】
子機を備えた従来のファクシミリ装置の場合、親機と子機との間で内線通話ができるようになっている。このようなファクシミリ装置では、一般的に、内線呼出しのベル鳴動パターンを、外線着呼の鳴動パターンと異なるパターンにすることで、外線着呼と内線呼出しとの識別を可能にしている。
【０００３】
【発明が解決しようとする課題】
ところで、上述のようなファクシミリ装置において、親機から子機の内線呼出し中に外線着呼があった場合、親機のハンドセットを使用しているユーザがベルの鳴動によって外線着呼に気付き、例えばハンドセットをオンフックしてからオフフックして外線着呼に応答すると、子機側の内線呼出しのベル音は切れる。しかし、子機側のユーザには内線呼出しのベル音が切れた理由がわからない。
【０００４】
一方、子機から親機の内線呼出し中に外線着呼があった場合、内線呼出しされている親機では、引続き内線呼出しの鳴動パターンによりベルが鳴動するので、親機のユーザは外線着呼を知ることができず、同様に、親機を内線呼出し中の子機のユーザも外線着呼を知ることができない。従って、子機から親機の内線呼出し中における外線着呼は応答されないまま放置されてしまう。また、外線着呼に気付かないまま、親機のユーザがハンドセットをオフフックして子機からの内線呼出しに応答すると、外線に接続されてしまうという不具合が生じる。
【０００５】
本発明はこのような問題点を解決するためになされたものであって、親機と子機との間の内線呼出し中に外線着呼があった場合、ベル鳴動パターンを内線呼出しの場合と異なるパターンへ変更することにより、外線着呼を放置したままにすることなく、外線着呼に迅速に応答でき、内線呼出し中に外線着呼があったことの判別を可能にするファクシミリ装置のような通信端末装置の提供を目的とする。
【０００６】
【課題を解決するための手段】
第１発明の通信端末装置は、親機と子機との間で内線通話が可能な通信端末装置において、親機から子機への内線呼出し中における外線着呼を検出する手段と、親機から子機への内線呼出し中に外線着呼を検出した場合、子機のベル鳴動パターンを内線呼出しの場合と異なるパターンへ変更する指示を親機から子機へ送出する手段とを備えたことを特徴とする。
【０００７】
第１発明の通信端末装置は、親機から子機への内線呼出し中に外線着呼を検出すると、子機のベル鳴動パターンを内線呼出しの場合と異なるパターンへ変更する指示を親機から子機へ送出する。これにより、子機側のユーザは内線呼出し中に外線着呼があったために内線呼出しが途中で切れたことを知ることができる。
【００１２】
【発明の実施の形態】
図１は、本発明に係るファクシミリ装置の構成を示すブロック図である。
コードレス電話（CLP:Cord-Less Phone)の親機１は、子機２からの電波を受信して、装置本体側（以下、 FAX側という）へ出力し、また FAX側からの信号を子機２へ送信する。 FAX側にはプッシュボタンダイヤル以外に、子機２を内線呼出しするための内線キーが設けられている。
【００１３】
子機２には、プッシュンボタンダイヤル以外に、親機１を内線呼出しするための内線キーと、外線発呼又は外線受信するための外線キーとが設けられ、また送受話のためのマイクロフォン及びスピーカに加えて、その背面に、内線呼出し又は外線着呼を報知するためのスピーカが設けられており、内線呼出しの鳴動パターン又は内線呼出しのパターンと異なる外線着呼の鳴動パターンでベルを鳴動するリンガ発生回路（図示せず）が内蔵されている。
【００１４】
CLP I/F(インターフェイス）３は、 FAXからCLP へ内線呼出ししたことを示すITCM1 、CLP から FAXへ内線呼出ししたことを示すITCM2 等のI/F ポートを備え、親機１と、 FAX側のCPU ４との間の信号の入出力を制御する。NCU(Network Control Unit) ５はファクシミリ装置と外線とを接続してデータが交換機を通るように制御する。
【００１５】
FAX側のCPU ４は、装置各部の動作を制御して通信を制御する。例えば、子機２からの内線呼出しの場合、リンガ発生回路11を制御して内線呼出しの鳴動パターンでベルを鳴動し、親機１の内線呼出し中に外線着呼を検出した場合は、リンガ発生回路11を制御して外線着呼の鳴動パターンに変更させてベルを鳴動するとともに、内線呼出しが子機２からであるか FAX側からであるか、内線呼出し中の外線通話が子機２においてであるか FAX側においてであるか等に応じて信号切換回路12のアナログスイッチのオン・オフを制御する。
【００１６】
FAX側のモニタスピーカ10は、子機２からの内線呼出しの場合、外線着呼の場合等にリンガ発生回路11が発生するベル音を出力する。リンガ発生回路11は、CPU ４による後述の制御によって、内線呼出しの鳴動パターン又は内線呼出しのパターンと異なる外線着呼の鳴動パターンでベルを鳴動するように制御される。
【００１７】
信号切換回路12は、親機１又は FAX側のハンドセット13から外線への音声信号をNCU ５に、外線からの音声信号を親機１又はハンドセット13に、リンガ発生回路11が発生したベル音をモニタスピーカ10に渡す等のための各種のアナログスイッチで構成されており、そのオン・オフはCPU ４によって制御される。
【００１８】
次に、本発明に係るファクシミリ装置の動作を、図２乃至図５のフローチャートに基づいて説明する。
まず、親機から子機への内線呼出し時の動作について図２及び図３を参照して説明する。
FAX側の内線キーがオンされると（ステップS1）、CPU ４は信号切換回路のアナログスイッチを親機１から子機２への内線通話が可能な状態に切り換え（ステップS2）、CLP I/F ３のI/F ポートITCM1 をオンする（ステップS3）。
【００１９】
I/F ポートITCM1 がオンになったことにより、CLP 親機１のPCB(Process Control Block)は子機２への内線通話であることを認識し（ステップS4）、コードレスの子機２へ内線通話であることを通知する（ステップS5）。
内線通話の通知を親機１から受信した子機２は、内線通話の鳴動パターンでベルを鳴動する（ステップS6）。
【００２０】
子機２を内線呼出ししている間、CPU ４は、外線着呼の有無と、子機２の内線キーがオンされたか否かとを監視しながら（ステップS7・S8）、子機２の内線キーが押された場合は親機１から子機２への内線通話を可能にする（ステップS9）。
一方、子機２の内線呼出し中に外線着呼を検出した場合（ステップS7）、CPU はリンガ発生回路11を制御して、 FAX側のベルを外線着呼の鳴動パターンで鳴動する（ステップS10 ）。
【００２１】
CPU ４は親機１に外線着呼を通知するとともに（ステップS11 ）、親機１を介して子機２にベル鳴動パターンの変更を指示する（ステップS12 ）。ベル鳴動パターンの変更を指示された子機２は、内線通話の鳴動パターンから外線着呼の鳴動パターンに変更してベルを鳴動する（ステップS13 ）。
【００２２】
外線着呼の鳴動パターンで親機１及び子機２のベルを鳴動させている間、CPU ４は子機２の外線キーがオンされたか否か、及び FAX側のハンドセット13が一旦オンフックされて再びオフフックされたか否かを監視し（ステップS14 ・S18 ）、子機２の外線キーがオンされた場合は、子機２のベル鳴動を停止するとともに（ステップS15 ）、 FAX側のベル鳴動も停止し（ステップS16 ）、子機２での外線通話を可能にする（ステップS17 ）。
【００２３】
一方、外線着呼の鳴動パターンで親機１及び子機２のベルを鳴動させている間、 FAX側のハンドセット13が一旦オンフックされて再びオフフックされた場合、CPU ４は FAX側のベル鳴動を停止するとともに（ステップS19 ）、子機２のベル鳴動も停止し（ステップS20 ）、 FAX側のハンドセット13での外線通話を可能にする（ステップS17 ）。
【００２４】
次に、子機から親機への内線呼出し時の動作について図４及び図５を参照して説明する。
子機２の内線キーがオンされた場合（ステップS21 ）、内線キーのオン情報が、子機２からCLP 親機１のPCB へ送出される（ステップS22 ）。CPU ４はCLP I/F ３のI/F ポートITCM2 がオンし（ステップS23 ）、信号切換回路12のアナログスイッチを子機２から親機１への内線通話が可能な状態に切り換える（ステップS24 ）。CPU ４はリンガ発生回路11を制御して、 FAX側のベルを内線呼出しの鳴動パターンで鳴動する（ステップS25 ）。
【００２５】
CPU ４は FAX側のベルが内線呼出しの鳴動パターンで鳴動している間、外線着呼の有無と、 FAX側のハンドセット13がオフフックされたか否かとを監視する（ステップS26 ・S27 ）。 FAX側のハンドセット13がオフフックされた場合（ステップS27 ）、CPU ４は子機２から親機１への内線通話を可能にする（ステップS28 ）。
【００２６】
FAX側のベルが内線呼出しの鳴動パターンで鳴動している間に外線着呼を検出した場合（ステップS26 ）、CPU ４は FAX側の鳴動パターンを内線呼出しから外線着呼のパターンに変更する（ステップS29 ）。続いて、子機２のベル鳴動を外線着呼のパターンで開始する（ステップS30 ）。
【００２７】
FAX側のベルと子機２のベルとが外線着呼の鳴動パターンで鳴動している間、CPU ４は、 FAX側のハンドセット13がオフフックされたか否かと、子機２の外線キーがオンされたか否かを監視し（ステップS31 ・S32 ）、ハンドセット13がオフフックされた場合は（ステップS31 ）、 FAX側のベル鳴動を停止するとともに（ステップS33 ）、子機２のベル鳴動も停止し（ステップS34 ）、 FAX側のハンドセット13での外線通話を可能にする（ステップS35 ）。
同様に、子機２の外線キーがオンされた場合も（ステップS32 ）、 FAX側のベル鳴動を停止するとともに（ステップS33 ）、子機２のベル鳴動も停止し（ステップS34 ）、子機２での外線通話を可能にする（ステップS35 ）。
【００２８】
【発明の効果】
第１発明の通信端末装置は、親機から子機への内線呼出し中に外線着呼を検出すると、子機のベル鳴動パターンを内線呼出しの場合と異なるパターンへ変更する指示を親機から子機へ送出するので、子機側のユーザは内線呼出し中に外線着呼があったために内線呼出しが途中で切れたことを知ることができるという優れた効果を奏する。
【図面の簡単な説明】
【図１】本発明に係るファクシミリ装置の構成を示すブロック図である。
【図２】本発明に係るファクシミリ装置の内線呼出し時の動作（親機→子機）のフローチャートである。
【図３】本発明に係るファクシミリ装置の内線呼出し時の動作（親機→子機）のフローチャートである。
【図４】本発明に係るファクシミリ装置の内線呼出し時の動作（子機→親機）のフローチャートである。
【図５】本発明に係るファクシミリ装置の内線呼出し時の動作（子機→親機）のフローチャートである。
【符号の説明】
１  親機
２  子機
４  CPU
10  モニタスピーカ
11  リンガ発生回路
12  信号切換回路
13  ハンドセット
【図１】
0003711696.tif 000002
【図２】
0003711696.tif 000003
【図３】
0003711696.tif 000004
【図４】
0003711696.tif 000005
【図５】
0003711696.tif 000006